(57)【特許請求の範囲】
【請求項１】
カードに記録されたデータの読取および前記カードへのデータの記録の少なくともいずれか一方を行うカードリーダにおいて、
前記カードが通過するカード通過路と、前記カードの一方の面に形成される磁気ストライプに当接する磁気ヘッドと、前記カードの他方の面に形成されるＩＣチップの外部接続端子に接触する複数のＩＣ接点バネを有するＩＣ接点ブロックとを備え、
前記カードリーダの、前記カードの挿入口が形成される側を手前側とし、その反対側を奥側とするとともに、前記カード通過路を通過する前記カードの厚さ方向の一方側を第１方向側とし、その反対側を第２方向側とすると、
前記磁気ヘッドは、前記カードリーダの手前側部分に配置されるとともに、前記磁気ヘッドのギャップが前記第１方向側から前記カード通過路に臨むように配置され、
前記ＩＣ接点ブロックは、前記カードリーダの奥側部分に配置されるとともに、前記ＩＣ接点バネが前記第２方向側から前記カード通過路に臨むように配置され、
前記カードリーダの、前記カード通過路よりも前記第１方向側の部分は、手前側に向かうにしたがって前記第１方向側へしだいに大きくなり、
前記カードリーダの、前記カード通過路よりも前記第２方向側の部分は、奥側に向かうにしたがって前記第２方向側へしだいに大きくなっていることを特徴とするカードリーダ。
【請求項２】
カードに記録されたデータの読取および前記カードへのデータの記録の少なくともいずれか一方を行うカードリーダにおいて、
前記カードが通過するカード通過路と、前記カードリーダが搭載される上位装置へ前記カードリーダを取り付けるための基準面となる取付基準面と、前記カードの一方の面に形成される磁気ストライプに当接する磁気ヘッドと、前記カードの他方の面に形成されるＩＣチップの外部接続端子に接触する複数のＩＣ接点バネを有するＩＣ接点ブロックとを備え、
前記カードリーダの、前記カードの挿入口が形成される側を手前側とし、その反対側を奥側とするとともに、前記カード通過路を通過する前記カードの厚さ方向の一方側を第１方向側とし、その反対側を第２方向側とすると、
前記磁気ヘッドは、前記カードリーダの手前側部分に配置されるとともに、前記磁気ヘッドのギャップが前記第１方向側から前記カード通過路に臨むように配置され、
前記ＩＣ接点ブロックは、前記カードリーダの奥側部分に配置されるとともに、前記ＩＣ接点バネが前記第２方向側から前記カード通過路に臨むように配置され、
前記カード通過路を通過する前記カードの幅方向から見たときに、前記カード通過路は、奥側に向かうにしたがって前記第１方向側へ向かうように前記取付基準面に対して傾斜していることを特徴とするカードリーダ。
【請求項３】
前記カードリーダが搭載される上位装置に前記カードリーダを固定するための金属製の薄板からなる固定フレームを備え、
前記固定フレームは、前記カード通過路を通過する前記カードの幅方向に直交する平板状の直交平面部を備え、
前記直交平面部には、前記上位装置に前記カードリーダを固定するためのネジ孔が形成されていることを特徴とする請求項１または２記載のカードリーダ。
【発明の詳細な説明】
【技術分野】
【０００１】
本発明は、カードに記録されたデータの読取やカードへのデータの記録を行うカードリーダに関する。
【背景技術】
【０００２】
従来、カードを手動で操作して、カードに記録されたデータの読取やカードへのデータの記録を行うカードリーダが知られている（たとえば、特許文献１参照）。特許文献１に記載のカードリーダは、扁平な略直方体状に形成されている。このカードリーダには、カード挿入口から挿入されたカードが通過するカード通過路が形成されている。また、このカードリーダは、カードの一方の面に形成される磁気ストライプに当接する磁気ヘッドと、カードの他方の面に形成されるＩＣチップの外部接続端子に接触する複数のＩＣ接点バネと、複数のＩＣ接点バネが取り付けられる接点バネ保持部材と、接点バネ保持部材を付勢する引張りコイルバネとを備えている。磁気ヘッドは、カード挿入口が形成されるカードリーダの手前端側部分に配置され、ＩＣ接点バネおよび接点バネ保持部材は、カードリーダの奥端側部分に配置されている。
【先行技術文献】
【特許文献】
【０００３】
【特許文献１】特開２０１０−２６８２６号公報
【発明の概要】
【発明が解決しようとする課題】
【０００４】
特許文献１に記載のカードリーダは、扁平な略直方体状に形成されており、このカードリーダの厚さは薄い。一方、市場では、この種のカードリーダのさらなる薄型化の要求がある。特許文献１に記載のカードリーダの場合、磁気ヘッド、接点バネ保持部材および引張りコイルバネ等を薄型化すれば、カードリーダをさらに薄型化することは可能である。しかしながら、特許文献１に記載のカードリーダにおいて、これらの構成部品を薄型化すると、変形カードに対する磁気ヘッドの追従性、磁気ヘッドとカードとの接触圧およびＩＣ接点バネとカードとの接触圧が変動する等の問題が生じて、磁気ヘッドやＩＣ接点バネによるデータの読取精度や記録精度が低下するおそれがある。すなわち、特許文献１に記載のカードリーダをさらに薄型化するために、磁気ヘッドや接点バネ保持部材等を薄型化すると、このカードリーダの信頼性が低下するおそれがある。
【０００５】
そこで、本発明の課題は、複数のＩＣ接点バネを有するＩＣ接点ブロックと、磁気ヘッドとを備えるカードリーダにおいて、従来と同様の信頼性を確保しつつ、従来以上に薄型化することが可能なカードリーダを提供することにある。
【課題を解決するための手段】
【０００６】
上記の課題を解決するため、本発明のカードリーダは、カードに記録されたデータの読取およびカードへのデータの記録の少なくともいずれか一方を行うカードリーダにおいて、カードが通過するカード通過路と、カードの一方の面に形成される磁気ストライプに当接する磁気ヘッドと、カードの他方の面に形成されるＩＣチップの外部接続端子に接触する複数のＩＣ接点バネを有するＩＣ接点ブロックとを備え、カードリーダの、カードの挿入口が形成される側を手前側とし、その反対側を奥側とするとともに、カード通過路を通過するカードの厚さ方向の一方側を第１方向側とし、その反対側を第２方向側とすると、磁気ヘッドは、カードリーダの手前側部分に配置されるとともに、磁気ヘッドのギャップが第１方向側からカード通過路に臨むように配置され、ＩＣ接点ブロックは、カードリーダの奥側部分に配置されるとともに、ＩＣ接点バネが第２方向側からカード通過路に臨むように配置され、カードリーダの、カード通過路よりも第１方向側の部分は、手前側に向かうにしたがって第１方向側へしだいに大きくなり、カードリーダの、カード通過路よりも第２方向側の部分は、奥側に向かうにしたがって第２方向側へしだいに大きくなっていることを特徴とする。
【０００７】
本発明のカードリーダでは、磁気ヘッドは、カードリーダの手前側部分に配置されるとともに、磁気ヘッドのギャップが第１方向側からカード通過路に臨むように配置され、ＩＣ接点ブロックは、カードリーダの奥側部分に配置されるとともに、ＩＣ接点バネが第２方向側からカード通過路に臨むように配置されている。また、本発明では、カードリーダの、カード通過路よりも第１方向側の部分は、手前側に向かうにしたがって第１方向側へしだいに大きくなっており、カードリーダの、カード通過路よりも第２方向側の部分は、奥側に向かうにしたがって第２方向側へしだいに大きくなっている。そのため、本発明では、カードリーダを薄型化しても、カード通過路よりも第１方向側において、磁気ヘッドが配置されるカードリーダの手前側部分を厚くし、カード通過路よりも第２方向側において、ＩＣ接点ブロックが配置されるカードリーダの奥側部分を厚くすることが可能になる。したがって、本発明では、カードリーダを薄型化しても、従来から使用されている磁気ヘッドおよびＩＣ接点ブロック等を配置することが可能になる。その結果、本発明では、従来と同様のカードリーダの信頼性を確保しつつ、従来以上にカードリーダを薄型化することが可能になる。また、本発明では、カードリーダを薄型化しても、従来から使用されている磁気ヘッドおよびＩＣ接点ブロック等を配置することが可能になるため、カードリーダを薄型化する際のカードリーダの設計工数を低減することが可能になる。
【０００８】
また、上記の課題を解決するため、本発明のカードリーダは、カードに記録されたデータの読取およびカードへのデータの記録の少なくともいずれか一方を行うカードリーダにおいて、カードが通過するカード通過路と、カードリーダが搭載される上位装置へカードリーダを取り付けるための基準面となる取付基準面と、カードの一方の面に形成される磁気ストライプに当接する磁気ヘッドと、カードの他方の面に形成されるＩＣチップの外部接続端子に接触する複数のＩＣ接点バネを有するＩＣ接点ブロックとを備え、カードリーダの、カードの挿入口が形成される側を手前側とし、その反対側を奥側とするとともに、カード通過路を通過するカードの厚さ方向の一方側を第１方向側とし、その反対側を第２方向側とすると、磁気ヘッドは、カードリーダの手前側部分に配置されるとともに、磁気ヘッドのギャップが第１方向側からカード通過路に臨むように配置され、ＩＣ接点ブロックは、カードリーダの奥側部分に配置されるとともに、ＩＣ接点バネが第２方向側からカード通過路に臨むように配置され、カード通過路を通過するカードの幅方向から見たときに、カード通過路は、奥側に向かうにしたがって第１方向側へ向かうように取付基準面に対して傾斜していることを特徴とする。
【０００９】
本発明のカードリーダでは、磁気ヘッドは、カードリーダの手前側部分に配置されるとともに、磁気ヘッドのギャップが第１方向側からカード通過路に臨むように配置され、ＩＣ接点ブロックは、カードリーダの奥側部分に配置されるとともに、ＩＣ接点バネが第２方向側からカード通過路に臨むように配置されている。また、本発明では、カード通過路を通過するカードの幅方向から見たときに、カード通過路は、取付基準面に対して奥側に向かうにしたがって第１方向側へ向かうように傾斜している。そのため、本発明では、カードリーダを薄型化しても、カード通過路よりも第１方向側において、磁気ヘッドが配置されるカードリーダの手前側部分を厚くし、カード通過路よりも第２方向側において、ＩＣ接点ブロックが配置されるカードリーダの奥側部分を厚くすることが可能になる。したがって、本発明では、カードリーダを薄型化しても、従来から使用されている磁気ヘッドおよびＩＣ接点ブロック等を配置することが可能になる。その結果、本発明では、従来と同様のカードリーダの信頼性を確保しつつ、従来以上にカードリーダを薄型化することが可能になる。また、本発明では、カードリーダを薄型化しても、従来から使用されている磁気ヘッドおよびＩＣ接点ブロック等を配置することが可能になるため、カードリーダを薄型化する際のカードリーダの設計工数を低減することが可能になる。
【００１０】
本発明において、カードリーダは、カードリーダが搭載される上位装置にカードリーダを固定するための金属製の薄板からなる固定フレームを備え、固定フレームは、カード通過路を通過するカードの幅方向に直交する平板状の直交平面部を備え、直交平面部には、上位装置にカードリーダを固定するためのネジ孔が形成されていることが好ましい。このように構成すると、カードの幅方向におけるカードリーダの側面に直交平面部を配置することが可能になるため、カードリーダが上位装置に取付可能となっていても、カードリーダを薄型化することが可能になる。
【発明の効果】
【００１１】
以上のように、本発明では、複数のＩＣ接点バネを有するＩＣ接点ブロックと、磁気ヘッドとを備えるカードリーダにおいて、従来と同様のカードリーダの信頼性を確保しつつ、従来以上にカードリーダを薄型化することが可能になる。
【図面の簡単な説明】
【００１２】
【図１】本発明の実施の形態にかかるカードリーダの斜視図である。
【図２】図１に示すカードの平面図である。
【図３】図１に示すカードリーダから基板、固定フレームおよび前面カバーを取り外した状態の平面図である。
【図４】図１に示すカードリーダの内部構造を説明するための図である。
【発明を実施するための形態】
【００１３】
以下、図面を参照しながら、本発明の実施の形態を説明する。
【００１４】
（カードリーダの構成）
図１は、本発明の実施の形態にかかるカードリーダ１の斜視図である。図２は、図１に示すカード２の平面図である。図３は、図１に示すカードリーダ１から基板９、固定フレーム１１および前面カバー１７を取り外した状態の平面図である。図４は、図１に示すカードリーダ１の内部構造を説明するための図である。
【００１５】
本形態のカードリーダ１は、ユーザが手動でカード２を操作して、カード２に記録されたデータの読取およびカード２へのデータの記録の少なくともいずれか一方を行うための装置であり、所定の上位装置（図示省略）に搭載されて使用される。このカードリーダ１は、扁平な略直方体状に形成されている。図４に示すように、カードリーダ１には、カード２が通過するカード通過路３が形成されている。カードリーダ１は、内部にカード通過路３が形成されるフレーム４と、複数のＩＣ接点バネ５を有するＩＣ接点ブロック６と、磁気ヘッド７とを備えている。また、カードリーダ１は、内部に挿入されたカード２の引抜きを防止するレバー部材８と、各種の電子部品等が実装される２枚の基板９、１０と、カードリーダ１が搭載される上位装置にカードリーダ１を固定するための固定フレーム１１とを備えている。
【００１６】
本形態では、図１等に示すＸ方向にカード２が通過する。すなわち、Ｘ方向は、カード通過路３を通過するカード２の通過方向である。また、Ｘ方向に直交する図１等のＺ方向は、カード通過路３を通過するカード２の厚さ方向であり、Ｘ方向とＺ方向とに直交する図１等のＹ方向は、カード通過路３を通過するカード２の幅方向である。以下の説明では、Ｘ方向を「前後方向」、Ｙ方向を「左右方向」、Ｚ方向を「上下方向」とする。また、Ｘ１方向側を「手前（前）」側、Ｘ２方向側を「奥（後ろ）」側、Ｙ１方向側を「右」側、Ｙ２方向側を「左」側、Ｚ１方向側を「上」側、Ｚ２方向側を「下」側とする。本形態では、下側（Ｚ２方向側）は、カード２の厚さ方向の一方側である第１方向側であり、上側（Ｚ１方向側）は、その反対側である第２方向側である。また、本形態のカードリーダ１は、上下方向の厚さが薄い扁平な略直方体状に形成されている。
【００１７】
カード２は、厚さが０．７〜０．８ｍｍ程度の略長方形状の塩化ビニール製のカードである。図２に示すように、カード２の裏面には、磁気データが記録される磁気ストライプ２ａが形成されている。また、カード２には、ＩＣチップ（図示省略）が内蔵されており、カード２のおもて面には、ＩＣチップの外部接続端子２ｂが形成されている。本形態のカード２は、国際規格やＪＩＳ規格に準拠したカードであり、磁気ストライプ２ａは、略長方形状に形成されるカード２の長手方向に沿って形成されている。また、外部接続端子２ｂは、カード２の長手方向の一端２ｃ側に形成されている。カード２は、カード２のおもて面が上側を向くとともに、カード２の長手方向が前後方向と略一致した状態で、かつ、カード２の長手方向の一端２ｃ側からカードリーダ１に挿入される。
【００１８】
図３に示すように、カードリーダ１の手前端側の一部分は、ユーザによるカード２の挿入およびカード２の引抜きが可能となるように切り欠かれた切欠部１３となっている。具体的には、上下方向から見たときの形状が略Ｕ形状となる切欠部１３が、フレーム４の手前端から奥側に向かって切り欠かれるように形成されている。また、左右方向では、フレーム４の中間位置に切欠部１３が形成されており、左右方向における切欠部１３の両側には、右側突出部１４と左側突出部１５とが形成されている。
【００１９】
カード通過路３は、図４に示すように、左右方向から見たときの形状が直線状となるように形成されている。カード通過路３の手前端は、カード２が挿入される挿入口１６となっている。すなわち、右側突出部１４の手前端および左側突出部１５の手前端に挿入口１６が形成されている。切欠部１３の奥端側部分、右側突出部１４および左側突出部１５は、前面カバー１７に覆われている。前面カバー１７の前端側には、カード２を通過させるためのスリット状の通過孔が形成されている。
【００２０】
磁気ヘッド７は、挿入口１６の近傍に配置されている。具体的には、磁気ヘッド７は、右側突出部１４の手前端部分に配置されている。すなわち、磁気ヘッド７は、カードリーダ１の手前側部分に配置されている。また、磁気ヘッド７は、磁気ヘッド７のギャップが下側からカード通過路３に臨むように配置されており、磁気ヘッド７のギャップは、カード通過路３を通過するカード２の磁気ストライプ２ａに当接する。
【００２１】
磁気ヘッド７は、板バネ１８に固定されており、板バネ１８の付勢力によって上側に付勢されている。また、板バネ１８は、フレーム４に固定される支持ピン（図示省略）に支持されており、磁気ヘッド７は、前後方向を揺動の軸方向として板バネ１８とともに揺動可能となっている。板バネ１８および支持ピンは、カードリーダ１の手前側部分に配置されるとともに、カード通過路３の下側に配置されている。
【００２２】
ＩＣ接点ブロック６は、カードリーダ１の奥側部分に配置されている。具体的には、ＩＣ接点ブロック６は、カードリーダ１の奥端側部分に配置されている。また、ＩＣ接点ブロック６は、ＩＣ接点バネ５が上側からカード通過路３に臨むように配置されており、ＩＣ接点ブロック６は、カード通過路３の上側に配置されている。図４に示すように、ＩＣ接点ブロック６の奥端には、カード２の先端（奥端）が係合するカード係合部６ａが形成されている。
【００２３】
また、ＩＣ接点ブロック６は、平行リンク機構２０を介してフレーム４の上端側部分に連結されており、前後方向にスライドしながら上下動する。具体的には、ＩＣ接点ブロック６は、奥側に移動すると下降し、手前側に移動すると上昇する。また、ＩＣ接点ブロック６は、引張りコイルバネ（付勢部材）２１によって手前側に付勢されている。平行リンク機構２０および引張りコイルバネ２１は、カードリーダ１の奥端側部分に配置されるとともに、カード通過路３の上側に配置されている。なお、フレーム４に形成されるガイド溝にＩＣ接点ブロック６の一部が係合するとともに、このガイド溝に案内されて、ＩＣ接点ブロック６が前後方向にスライドしながら上下動しても良い。
【００２４】
本形態では、カードリーダ１の奥側へ挿入されたカード２の先端がＩＣ接点ブロック６のカード係合部６ａに係合すると、ＩＣ接点ブロック６が奥側にスライドしながら下降して、カード２の外部接続端子２ｂに複数のＩＣ接点バネ５が接触する。また、奥側に挿入されたカード２が手前側に引き抜かれると、カード２のおもて面からＩＣ接点バネ５が離れるように、引張りコイルバネ２１の付勢力によって、ＩＣ接点ブロック６が手前側にスライドしながら上昇する。
【００２５】
レバー部材８は、カード通過路３を閉鎖する閉位置とカード通過路３を開放する開位置との間で回動可能となっており、挿入されたカード２の引抜きを閉位置で防止する。具体的には、レバー部材８は、カード２の外部接続端子２ｂとＩＣ接点バネ５とが接触してデータの読取や記録を行っている際のカード２の引抜きを防止する。また、カードリーダ１は、図３に示すように、閉位置へレバー部材８を付勢するネジリコイルバネ２２と、閉位置でレバー部材８の回動を規制する規制ピン２３と、レバー部材８の回動を規制する回動規制位置とレバー部材８の回動を可能にする回動可能位置との間で規制ピン２３を移動させるソレノイド２４とを備えている。
【００２６】
本形態では、挿入口１６にカード２が挿入されていないときに、レバー部材８は、カード通過路３の手前端側を閉鎖している。この状態で、カード２が挿入されると、カード通過路３の手前端側を閉鎖するレバー部材８の手前端側の傾斜面にカード２の先端が当接して、レバー部材８が、ネジリコイルバネ２２の付勢力に抗して回動し、カード通過路３を開放する。また、その後さらにカード２が奥側へ挿入されると、レバー部材８はネジリコイルバネ２２の付勢力で回動して、カード通過路３の手前端側を閉鎖する。
【００２７】
基板９、１０は、リジッド基板であり、略長方形の平板状に形成されている。基板９は、基板１０よりも大きくなっている。基板９は、フレーム４の、前面カバー１７よりも奥側の部分のほぼ全体を上側から覆うように、フレーム４の上面側に固定されている。基板１０は、フレーム４の下面の一部を覆うようにフレーム４の下面側に固定されている。なお、フレーム４の上面側には、左右方向へ弾性変形可能な複数の係合爪４ａが形成されており、基板９は、基板９に形成された係合孔または基板９の端面と係合爪４ａとを係合させることでフレーム４に固定されている。すなわち、基板９は、スナップフィット構造によってフレーム４に固定されている。また、基板１０は、ＳＩＭ（Ｓｕｂｓｃｒｉｂｅｒ  Ｉｄｅｎｔｉｔｙ  Ｍｏｄｕｌｅ）が実装されたＳＩＭ基板である。一方、基板９は、カードリーダ１の制御回路等が実装されるメイン基板である。
【００２８】
固定フレーム１１は、金属製の薄板を所定形状に折り曲げることで形成されており、フレーム４に固定されている。この固定フレーム１１は、基板９の手前側部分の上面を覆う上面部１１ａと、フレーム４の左右の側面を覆う２個の側面部１１ｂとから構成されている。上面部１１ａは、上下方向に直交する平板状に形成されている。すなわち、上面部１１ａは、前後方向（Ｘ方向）と左右方向（Ｙ方向）とから構成されるＸＹ平面と平行になっている。上面部１１ａの上面は、カードリーダ１が搭載される上位装置にカードリーダ１を取り付けるための基準面である取付基準面１１ｃとなっている。側面部１１ｂは、左右方向に直交する平板状に形成されている。側面部１１ｂには、上位装置にカードリーダ１を固定するためのネジ孔１１ｄが形成されている。ネジ孔１１ｄは、側面部１１ｂを左右方向で貫通するように形成されている。本形態の側面部１１ｂは、カード２の幅方向に直交する直交平面部である。
【００２９】
上述のように、カード通過路３は、左右方向から見たときの形状が直線状となるように形成されている。本形態では、カード通過路３は、図４に示すように、左右方向から見たときに、奥側に向かうにしたがって下側へ向かうように取付基準面１１ｃに対して傾斜している。すなわち、カード通過路３は、左右方向から見たときに、奥側に向かうにしたがって下側へ向かうように前後方向に対して角度θ、傾斜している。角度θは、たとえば、４°である。また、上述のように、カードリーダ１は、上下方向の厚さが薄い扁平な略直方体状に形成されている。そのため、カードリーダ１の、カード通過路３よりも下側の部分は、手前側に向かうにしたがって下側へしだいに大きくなり、カードリーダ１の、カード通過路３よりも上側の部分は、奥側に向かうにしたがって上側へしだいに大きくなっている。
【００３０】
（本形態の主な効果）
以上説明したように、本形態では、磁気ヘッド７は、カードリーダ１の手前側部分に配置されるとともに、磁気ヘッド７のギャップが下側からカード通過路３に臨むように配置されている。また、本形態では、ＩＣ接点ブロック６は、カードリーダ１の奥側部分に配置されるとともに、ＩＣ接点バネ５が上側からカード通過路３に臨むように配置されている。また、本形態では、カード通過路３は、左右方向から見たときに、奥側に向かうにしたがって下側へ向かうように取付基準面１１ｃに対して傾斜しており、カードリーダ１の、カード通過路３よりも下側の部分は、手前側に向かうにしたがって下側へしだいに大きくなり、カードリーダ１の、カード通過路３よりも上側の部分は、奥側に向かうにしたがって上側へしだいに大きくなっている。
【００３１】
そのため、本形態では、カードリーダ１を薄型化しても、カード通過路３よりも下側において、磁気ヘッド７や板バネ１８等が配置されるカードリーダ１の手前側部分を厚くし、カード通過路３よりも上側において、ＩＣ接点ブロック６や平行リンク機構２０等が配置されるカードリーダ１の奥側部分を厚くすることが可能になる。したがって、本形態では、カードリーダ１を薄型化しても、従来から使用されているＩＣ接点ブロック６、磁気ヘッド７、板バネ１８および平行リンク機構２０等を配置することが可能になる。その結果、本形態では、従来と同様のカードリーダ１の信頼性を確保しつつ、従来以上にカードリーダ１を薄型化することが可能になる。また、本形態では、カードリーダ１を薄型化しても、従来から使用されているＩＣ接点ブロック６、磁気ヘッド７、板バネ１８および平行リンク機構２０等を配置することが可能になるため、カードリーダ１を薄型化する際のカードリーダ１の設計工数を低減することが可能になる。
【００３２】
本形態では、左右方向に直交する平板状に形成される固定フレーム１１の側面部１１ｂに、カードリーダ１を上位装置に固定するためのネジ孔１１ｄが形成されている。また、本形態では、２個の側面部１１ｂは、フレーム４の左右の側面を覆うように配置されている。そのため、本形態では、カードリーダ１が上位装置に取付可能となっていても、カードリーダ１を薄型化することが可能になる。
【００３３】
（他の実施の形態）
上述した形態は、本発明の好適な形態の一例ではあるが、これに限定されるものではなく本発明の要旨を変更しない範囲において種々変形実施が可能である。
【００３４】
上述した形態では、固定フレーム１１の側面部１１ｂに、上位装置にカードリーダ１を固定するためのネジ孔１１ｄが形成されている。この他にもたとえば、フレーム４に、上位装置にカードリーダ１を固定するためのネジが挿通される貫通孔等が形成されても良い。また、上述した形態では、カード２は、厚さが０．７〜０．８ｍｍ程度の塩化ビニール製のカードであるが、カード２は、厚さが０．１８〜０．３６ｍｍ程度のＰＥＴ（ポリエチレンテレフタレート）カードであっても良いし、所定の厚さの紙カード等であっても良い。また、上述した形態では、カードリーダ１は、手動式のカードリーダであるが、本発明が適用されるカードリーダは、カード２の搬送機構を有するカード搬送式のカードリーダであっても良い。
【符号の説明】
【００３５】
１  カードリーダ
２  カード
２ａ  磁気ストライプ
２ｂ  外部接続端子
３  カード通過路
５  ＩＣ接点バネ
６  ＩＣ接点ブロック
７  磁気ヘッド
１１  固定フレーム
１１ｂ  側面部（直交平面部）
１１ｃ  取付基準面
１１ｄ  ネジ孔
１６  挿入口
Ｘ１  手前側
Ｘ２  奥側
Ｙ  カードの幅方向
Ｚ  カードの厚さ方向
Ｚ１  第２方向側
Ｚ２  第１方向側
【図１】
0006357406.tif 000002
【図２】
0006357406.tif 000003
【図３】
0006357406.tif 000004
【図４】
0006357406.tif 000005